(57)【要約】      （修正有）【課題】歯冠補綴物のエッジ部を的確な辺縁部に再現する。【解決手段】治療用歯の所要部を削ってスキャンして所要画像のＳＴＬデータを取得するとともにＣＡＤデータに取り込み、上記ＣＡＤデータに取り込んだ複製歯のエッジ部を所要のオフセットを設けた辺縁状態に修正して、このエッジ部を修正したＣＡＤ画像にもとづいて歯冠補綴物を形成するようにしている。削って型取りしてその複製歯を形成し、その形成した複製歯をスキャンして所要画像のＳＴＬデータを取得して、ＣＡＤデータに取り込んだ複製歯の支持台の棚を水平状に修正して、エッジ部を所要のオフセットを設けた辺縁状態に修正して、このエッジ部を修正したＣＡＤ画像にもとづいて歯冠補綴物を形成することが好ましい。【選択図】図３
2020124303.tif 000002
【特許請求の範囲】
【請求項１】
治療用歯の所要部を削ってスキャンして当該複製歯用のＳＴＬデータおよび／またはＣＡＤデータを取り込み、
上記ＣＡＤデータに取り込んだ当該治療用歯の複製歯のエッジ部を所要のオフセットを設けた辺縁部に修正して、このエッジ部を修正したＣＡＤデータにもとづいて歯冠補綴物を成形することを特徴とするオフセット修正の歯冠補綴物の成形方法。
【請求項２】
治療用歯の所要部を削って型取りして当該複製歯を作り、その作った複製歯をスキャンしてＳＴＬデータを取得するとともにＣＡＤデータに取り込み、
上記ＣＡＤデータに取り込んだ複製歯のエッジ部を所要のオフセットを設けた辺縁状態に修正して歯冠補綴物を成形することを特徴とする請求項１に記載のオフセット修正の歯冠補綴物の成形方法。
【請求項３】
ＣＡＤデータに取り込んだ複製歯の支台歯の棚を水平状に修正して、当該ＣＡＤデータのエッジ部を所定量のオフセットを設け、さらに所定の斜めの拡張オフセット、垂直の垂直オフセットの辺縁部に修正して歯冠補綴物を成形することを特徴とする請求項１または２に記載のオフセット修正の歯冠補綴物の成形方法。
【請求項４】
請求項１ないし３のいずれかに記載のオフセット修正の歯冠補綴物の成形方法において、当該治療用歯の複製歯のエッジ部を所要のオフセットを設けた辺縁部に修正して、このエッジ部を修正したＣＡＤデータにもとづいて歯冠補綴物を形成したことを特徴とするオフセット修正の歯冠補綴物。
【発明の詳細な説明】
【技術分野】
【０００１】
本発明は、歯科分野におけるオフセット修正の歯冠補綴物の成形方法およびその歯冠補綴物に関するものである。
【背景技術】
【０００２】
従前、虫歯や亀裂が生じた歯の治療にあっては、虫歯部分等を削って所要の型取りをし、その型取りから複製品を作り、スキャンしたりして歯冠補綴物を作成して補綴している。
【０００３】
しかし、型取りした複製品をスキャンすると、エッジロス現象が生じ、そのままデザインするとエッジ部が実際とは相違する形状となって、正確に適合しない不具合なものとなるものであった。
【先行技術文献】
【特許文献】
【０００４】
【特許文献１】特開２００９−５１７１４４号公報
【特許文献２】特開２００９−１０１１２４号公報
【発明の開示】
【発明が解決しようとする課題】
【０００５】
特に、スキャンによるＳＴＬデータでは、歯冠補綴物のエッジ部を的確に表現することができなく、角がとれて丸くなるもので、エッジ部の所要の辺縁部の的確な再現をすることが課題であった。
【課題を解決するための手段】
【０００６】
本発明は、上記のような点に鑑みたもので、上記の課題を解決するために、治療用歯の所要部を削ってスキャンして当該複製歯用のＳＴＬデータおよび／またはＣＡＤデータを取り込み、上記ＣＡＤデータに取り込んだ当該治療用歯の複製歯のエッジ部を所要のオフセットを設けた辺縁部に修正して、このエッジ部を修正したＣＡＤデータにもとづいて歯冠補綴物を成形することを特徴とするオフセット修正の歯冠補綴物の成形方法を提供するにある。
【０００７】
また、本発明は、治療用歯の所要部を削って型取りして当該複製歯を形成し、その形成した複製歯をスキャンしてＳＴＬデータを取得するとともにＣＡＤデータに取り込み、上記ＣＡＤデータに取り込んだ複製歯のエッジ部を所要のオフセットを設けた辺縁状態に修正して、このエッジ部を修正したＣＡＤ画像にもとづいて歯冠補綴物を成形することを特徴とするオフセット修正の歯冠補綴物の成形方法を提供するにある。
【０００８】
さらに、本発明は、ＣＡＤデータに取り込んだ複製歯の支台歯の棚を水平状に修正して、当該ＣＡＤデータのエッジ部を所定量のオフセットを設け、さらに所定の斜めの拡張オフセット、垂直の垂直オフセットの辺縁部に修正して歯冠補綴物を成形することを特徴とするオフセット修正の歯冠補綴物の成形方法を提供するにある。
【０００９】
またさらに、本発明は、上記オフセット修正の歯冠補綴物の成形方法において、当該治療用歯の複製歯のエッジ部を所要のオフセットを設けた辺縁部に修正して、このエッジ部を修正したＣＡＤデータにもとづいて歯冠補綴物を形成したことを特徴とするオフセット修正の歯冠補綴物を提供するにある。
【発明の効果】
【００１０】
本発明にあっては、特許請求の範囲の請求項１のように、治療用歯の所要部を削ってスキャンして当該複製歯用のＳＴＬデータおよび／またはＣＡＤデータを取り込み、上記ＣＡＤデータに取り込んだ当該治療用歯の複製歯のエッジ部を所要のオフセットを設けた辺縁部に修正して、このエッジ部を修正したＣＡＤデータにもとづいて歯冠補綴物を成形することによって、歯冠補綴物のエッジ部の辺縁部を的確に再現することができ、よい適合状態の歯冠補綴物を成形することができる。
【００１１】
また、請求項２のように、治療用歯の所要部を削って型取りして当該複製歯を作り、その作った複製歯をスキャンしてＳＴＬデータを取得するとともにＣＡＤデータに取り込み、上記ＣＡＤデータに取り込んだ複製歯のエッジ部を所要のオフセットを設けた辺縁状態に修正して、このエッジ部を修正したＣＡＤ画像にもとづいて歯冠補綴物を成形することによって、スキャンによるＳＴＬデータでは歯冠補綴物のエッジ部に角がとれて丸くなく、エッジ部の所要の的確な辺縁部に再現ができなかったが、ＣＡＤデータに取り込んで所要のオスセットを設けたエッジ部の辺縁部に的確に修正できて、よい適合状態の歯冠補綴物を成形することができる。
【００１２】
さらに、請求項３のように、ＣＡＤデータに取り込んだ複製歯の支台歯の棚を水平状に修正して、当該ＣＡＤデータのエッジ部を所定量のオフセットを設け、さらに所定の斜めの拡張オフセット、垂直の垂直オフセットの辺縁部に修正して歯冠補綴物を成形することによって、スキャンによるＳＴＬデータでは歯冠補綴物のエッジ部に角がとれて丸くなるものであったが、所定のオフセットを設け、斜めの拡張オフセット、垂直の垂直オフセットのエッジ部の的確な辺縁部に修正できて、エッジ部の辺縁部を的確に作成できて、よい適合状態の歯冠補綴物を成形することができる。
【００１３】
またさらに、請求項４のように、上記オフセット修正の歯冠補綴物の成形方法において、当該治療用歯の複製歯のエッジ部を所要のオフセットを設けた辺縁部に修正して、このエッジ部を修正したＣＡＤデータにもとづいて歯冠補綴物を形成したことによって、上記したように歯冠補綴物のエッジ部の辺縁部に的確に表現することができ、よい適合状態の歯冠補綴物とすることができる。
【図面の簡単な説明】
【００１４】
【図１】本発明の一実施例の歯冠補綴物作成の概要フロー図、
【図２】同上のスキャンのＳＴＬデータからＣＡＤデータに取り込んだ状態の説明用図、
【図３】同上のスキャンのＳＴＬデータからＣＡＤデータに取り込み、ＣＡＤによるエッジ部修正の説明用拡大図、
【図４】同上の支台歯の棚が斜め状態時のＣＡＤによるエッジ部修正の説明用拡大図。
【発明を実施するための形態】
【００１５】
本発明のオフセット修正の歯冠補綴物の成形方法およびその歯冠補綴物は、治療用歯の所要部を削ってスキャンして当該複製歯用のＳＴＬデータおよび／またはＣＡＤデータを取り込み、上記ＣＡＤデータに取り込んだ当該治療用歯の複製歯のエッジ部を所要のオフセットを設けた辺縁部に修正して、このエッジ部を修正したＣＡＤデータにもとづいて歯冠補綴物を成形することを特徴としている。
【００１６】
オフセット修正の歯冠補綴物１は、先ず図１のフローチャートのように患者の虫歯や亀裂歯等の治療用歯について、その所要部分を削って、その歯冠補綴物用の型取りをする。
【００１７】
そして、その型取りにもとづいて歯冠補綴物用の複製歯を作成し、その複製歯をインハウス型等のスキャナーでスキャンしてＳＴＬデータとして取得するとともに、所要のＣＡＤ装置にＣＡＤデータとして取り込む。
【００１８】
スキャナーよるＳＴＬデータでは、図２のように歯冠補綴物１の周部のエッジ部を的確に表現することができなく、角がとれて丸くなり、エッジ部の所要の辺縁部に的確に再現ができないので、これを修正して、あたかも角が再現できているように歯冠補綴物１を作ることにある。
【００１９】
デフォルトのマージン設定では、図３のように周部のエッジ部の角がとれてしまっている部分で再現してしまう。そこで、図３のように歯冠補綴物１の支台歯の棚に対して水平または所定の傾斜角度のオフセットＡ、１００〜１６０度の斜めの拡張オフセットＢ、垂直の垂直オフセットＣのエッジとして所要の修正をして所要の歯冠補綴物１を作ることができる。
【００２０】
エッジロスは、エッジより内側１０〜２００ミクロン位のところで生じるので、その辺りを辺縁として設定し、そこから不足分の１０〜３００ミクロン、好ましくは１０〜２００ミクロン位を棚の延長線上でデザインによる延長とすると臨床的に十分なものとできる。
【００２１】
図４のように歯冠補綴物１の支台歯の棚が斜めの場合、オフセットＡを斜めとなった棚に平行状に設け、１００〜１６０度の所要の斜めの拡張オフセットＢ、垂直の垂直オフセットＣのエッジとして所要の修正をして所要の歯冠補綴物１を作ることができる。
【００２２】
このように歯冠補綴物１の支台歯の棚に対して、オフセットＡを自由に角度調整可能に設定しておけば、オフセットＡを所要のマイナスからプラスの角度にわたって支台歯の棚の角度に対応することができ、エッジロスをかなりの精度に修正可能である。オフセットＡの角度調整には、支台歯の棚を水平状にＣＡＤ修正して作成したりするなど適宜に行なうことができる。
【００２３】
上記では、治療用歯を型取りして複製歯を作成したが、ＳＴＬデータまたはＣＡＤデータを取り込んだり、口腔内スキャナーによるスキャンでＳＴＬデータおよび／またはＣＡＤデータを取り込み、上記のように修正することもできる。
【００２４】
なお、本発明は、インプラントのものについても適用できる他、上記した本発明の趣旨にもとずいて適宜の実施態様が採択できるものである。
【実施例】
【００２５】
図１以下は、本発明の実施例を示すものである。歯冠補綴物１の成形には、図１のフローチャートのように患者の虫歯の治療用歯について、その所要部分を削って、その歯冠補綴物用の型取りをし、その型取りにもとづいて歯冠補綴物用の複製歯を作成し、その複製歯をインハウス型等のスキャナーでスキャンしてＳＴＬデータとして取得するとともに、ＣＡＤ装置にＣＡＤデータとして取り込む。
【００２６】
デフォルトのマージン設定では、図２のように角がとれてしまっている部分で再現してしまう。そこで、図３のように歯冠補綴物１の支台歯の棚に対して１００ミクロンのオフセットＡを支台歯の延長上に延ばし、１００ミクロンの１２０〜１５０度の斜めの拡張オフセットＢ、１００ミクロンの垂直の垂直オフセットＣのエッジとして全周縁部を修正して所要の歯冠補綴物１を作った。
【００２７】
エッジロスは、エッジより内側１０〜２００ミクロン位のところで生じるので、その辺りを辺縁として設定し、そこから不足分の２００〜３００ミクロンを棚の延長線上でデザインによる延長とすると臨床的に十分なものとでき、加工中に割れが生じなくて所要の厚みの、よりよい適合状態に実現することができた。
【００２８】
また、図４のように歯冠補綴物１の支台歯の棚が斜めの場合、１００ミクロンのオフセットＡを斜めになった棚に平行状にＣＡＤ修正して設け、図のように１００ミクロンの１２０〜１４０度の斜めの拡張オフセットＢ、１００ミクロンの垂直の垂直オフセットＣのエッジとして全周縁部を修正して所要の歯冠補綴物１を作ることができる。
【００２９】
このように歯冠補綴物１の支台歯の棚に対して、オフセットＡを自由に角度調整可能に設定しておけば、オフセットＡを所要のマイナスからプラスの角度のわたって支台歯の棚の角度に対応することができ、エッジロスをかなりの精度に修正できる。
【００３０】
上記では、治療用歯を型取りして複製歯を作成したが、口腔内スキャナーによるスキャンでＳＴＬデータおよび／またはＣＡＤデータを取り込み、上記のように修正することもできる。本発明は、インプラントのものについても適用できる他、上記した本発明の趣旨にもとずいて適宜の実施態様を採択できるものである。
【産業上の利用可能性】
【００３１】
本発明は、歯科分野における歯の治療、インプラントに広く利用することかできる。
【符号の説明】
【００３２】
１…歯冠補綴物    Ａ…オフセット    Ｂ…拡張オフセット    Ｃ…垂直オフセット
【図１】
2020124303.tif 000003
【図２】
2020124303.tif 000004
【図３】
2020124303.tif 000005
【図４】
2020124303.tif 000006